(57)【要約】【課題】走行車体に対してモアー装置が上昇した状態であるのと同様な位置で維持するための姿勢維持機構を構造簡単に構成しようとするものである。【解決手段】左右一対の後リンクの一端部が、車体フレーム１に設けた左右一対の取付ブラケット３０が備える支点軸３１に枢支連結され、後リンク２４の夫々が、リンク上昇位置とリンク下降位置と、にわたって上下揺動可能に構成され、取付ブラケット３０に対する後リンク２４の相対姿勢をリンク上昇位置で連結固定可能な姿勢維持部３が、支点軸３１とは別の位置で、取付ブラケット３０と後リンク２４の連結箇所に設けられ、姿勢維持部３では、左右一対の後リンク２４のそれぞれに、左側の取付ブラケット３０に対する左連結部５０Ｌと、右側の取付ブラケット３０に対する右連結部５０Ｒと、が一体に形成されている。【選択図】図５
2020150917.tif 000002
【特許請求の範囲】
【請求項１】
ミッドマウント式のモアー装置を走行車体に吊り下げ支持可能なリンク機構と、
前記走行車体の後部に備えた昇降操作機構に対して前記リンク機構を連係させる連係機構と、が備えられた乗用作業車であって、
前記リンク機構に、左右一対の前リンクと、左右一対の後リンクと、が備えられ、
左右一対の前記後リンクの一端部が、前記走行車体の車体フレームに設けた左右一対の取付ブラケットが備える支点軸に枢支連結され、
前記後リンクの夫々が、前記支点軸とは反対側の端部を前記車体フレームに近づけるように上昇させたリンク上昇位置と、前記車体フレームから下方へ離れたリンク下降位置と、にわたって上下揺動可能に構成され、
前記取付ブラケットに対する前記後リンクの相対姿勢を前記リンク上昇位置で連結固定可能な姿勢維持部が、前記支点軸とは別の位置で、前記取付ブラケットと前記後リンクの連結箇所に設けられているとともに、
前記姿勢維持部では、左右一対の前記後リンクのそれぞれに、左側の前記取付ブラケットに対する左連結部と、右側の前記取付ブラケットに対する右連結部と、が一体に形成されている乗用作業車。
【請求項２】
前記姿勢維持部が、前記取付ブラケットに対する前記後リンクの連結箇所で、前記支点軸から離れた位置の前記取付ブラケットに形成されたブラケットピン孔と、前記後リンクに形成された複数個のリンクピン孔と、そのリンクピン孔のうちの一つと前記ブラケットピン孔にわたって挿通可能な連結ピンと、を備えたものである請求項１記載の乗用作業車。
【発明の詳細な説明】
【技術分野】
【０００１】
本発明は、ミッドマウント式のモアー装置を吊り下げ支持可能なリンク機構と、走行車体の後部に備えた昇降操作機構に対してリンク機構を連係させる連係機構と、が備えられた乗用作業車に関する。
【背景技術】
【０００２】
上記のような乗用作業車に関する従来技術としては、下記［１］に示すものがある。
［１］トラクタにミッドマウント式のモアー装置を備え、そのモアー装置の昇降作動を、走行機体の後部に備えた昇降操作機構の作動に連動させられるようにした乗用作業車（特許文献１参照）。
【先行技術文献】
【特許文献】
【０００３】
【特許文献１】特開２００９−２２５７６５号公報（段落番号「００１５」、及び「図１」，「図３」）
【発明の概要】
【発明が解決しようとする課題】
【０００４】
上記特許文献１に記載のものにおいては、モアー装置を取り外して走行する場合などに、次のような問題があった。つまり、モアー装置を吊り下げ支持可能なリンク機構や、昇降操作機構に対してリンク機構を連係させる連係機構が、走行の邪魔にならないようにするには、リンク機構や、昇降操作機構を、走行車体から完全に取り外してしまうか、走行車体に対してモアー装置が上昇した状態であるのと同様な位置で維持する必要がある。
この場合、リンク機構や、昇降操作機構を、走行車体から完全に取り外してしまうには、脱着に多大な手数を要する。走行車体に対してモアー装置が上昇した状態であるのと同様な位置で維持するには、姿勢維持機構が必要となる。
このような姿勢維持機構として、特許文献１に記載のものにおいては、リンク機構として左右個別に備えた後リンクや、その後リンクを車体フレームに固定するための左右個別の取付ブラケットなどを用いている。
【０００５】
本発明は、走行車体に対してモアー装置が上昇した状態であるのと同様な位置で維持するための姿勢維持機構を構造簡単に構成しようとするものである。
【課題を解決するための手段】
【０００６】
本発明における乗用作業車の特徴は、ミッドマウント式のモアー装置を走行車体に吊り下げ支持可能なリンク機構と、前記走行車体の後部に備えた昇降操作機構に対して前記リンク機構を連係させる連係機構と、が備えられた乗用作業車であって、前記リンク機構に、左右一対の前リンクと、左右一対の後リンクと、が備えられ、左右一対の前記後リンクの一端部が、前記走行車体の車体フレームに設けた左右一対の取付ブラケットが備える支点軸に枢支連結され、前記後リンクの夫々が、前記支点軸とは反対側の端部を前記車体フレームに近づけるように上昇させたリンク上昇位置と、前記車体フレームから下方へ離れたリンク下降位置と、にわたって上下揺動可能に構成され、前記取付ブラケットに対する前記後リンクの相対姿勢を前記リンク上昇位置で連結固定可能な姿勢維持部が、前記支点軸とは別の位置で、前記取付ブラケットと前記後リンクの連結箇所に設けられているとともに、前記姿勢維持部では、左右一対の前記後リンクのそれぞれに、左側の前記取付ブラケットに対する左連結部と、右側の前記取付ブラケットに対する右連結部と、が一体に形成されていることである。
【０００７】
本発明によれば、姿勢維持部において、左右一対の後リンクのそれぞれに、左側の取付ブラケットに対する左連結部と、右側の取付ブラケットに対する右連結部と、が一体に形成されているので、左右の後リンクを左側の取付ブラケットに対しても、右側の取付ブラケットに対しても取り付け可能となる。つまり、後リンクとしては、左連結部と右連結部が一体に形成された一種類の後リンクを用いるだけで、左側の取付ブラケットに対しても、右側の取付ブラケットに対しても、後リンクを支障なく取り付けることができる。
その結果、部品点数の削減を図ることによる低コスト化、及び左右の組間違いを避けて、組み付け分解時の作業工数を削減できるなどの利点がある。
【０００８】
上記構成において、前記姿勢維持部が、前記取付ブラケットに対する前記後リンクの連結箇所で、前記支点軸から離れた位置の前記取付ブラケットに形成されたブラケットピン孔と、前記後リンクに形成された複数個のリンクピン孔と、そのリンクピン孔のうちの一つと前記ブラケットピン孔にわたって挿通可能な連結ピンと、を備えたものであると好適である。
【０００９】
本構成によれば、後リンクに形成された複数個のリンクピン孔のうちの一つを、取付ブラケットの左右何れか一方のブラケットピン孔に対応するリンクピン孔とし、他の一つを、取付ブラケットの左右何れか他方のブラケットピン孔に対応するリンクピン孔として用いるようにすることができる。
これによって、後リンクの左右兼用が可能となり、構造の簡素化を図り易い。
【図面の簡単な説明】
【００１０】
【図１】乗用作業車の左側面図である。
【図２】モアー装置を取り付けたリンク下降位置の後リンクと連係機構を示す側面図である。
【図３】モアー装置を取り外したリンク上昇位置の後リンクと連係機構を示す側面図である。
【図４】後リンクと連係機構を示す平面図である。
【図５】取付ブラケットと後リンクの連結箇所を示す分解斜視図である。
【発明を実施するための形態】
【００１１】
以下、本発明の実施の形態の一例を図面の記載に基づいて説明する。
尚、本実施形態での説明における前後方向及び左右方向は、特段の説明がない限り、次のように記載している。つまり、本発明を適用した乗用作業車において、走行機体の作業走行時における前進側の進行方向（図１，図４における矢印Ｆ参照）が「前」、後進側への進行方向（図１，４における矢印Ｂ参照）が「後」、その前後方向での前向き姿勢を基準としての右側に相当する方向（図４における矢印Ｒ参照）が「右」、同様に左側に相当する方向（図４における矢印Ｌ参照）が「左」である。
【００１２】
〔全体構成〕
図１に示すように、本実施形態で例示する乗用作業車の一例であるトラクタは、車体フレーム１の前半部に原動部を備え、車体フレーム１の後半部に搭乗運転部を形成している。そして、原動部の左右に駆動可能な操舵輪としての前輪１Ｆを配備し、搭乗運転部の左右に制動可能な駆動輪としての後輪１Ｒを配備することにより、４輪駆動型に構成されている。
【００１３】
車体フレーム１は、前フレーム部６の後部に水冷式のディーゼルエンジン（以下、エンジンと称する）７を連結し、このエンジン７の後下部にクラッチハウジング８を連結している。クラッチハウジング８の後部に、中間フレーム部９を介してトランスミッションケース（以下、Ｔ／Ｍケースと称する）１０を連結することにより、トラクタの前後のほぼ全体にわたるモノコック構造に構成されている。
【００１４】
原動部は、ボンネット１１により形成したエンジンルームに、エンジン７及びラジエータ１２などを配備して構成している。搭乗運転部には、前輪操舵用のステアリングホイール１３及び運転座席１４などを配備している。
【００１５】
エンジン７からの動力は、クラッチハウジング８の内部に備えた主クラッチ（図示せず）などを介して、Ｔ／Ｍケース１０の前部に連結した静油圧式無段変速装置（以下、ＨＳＴと称する）１５の入力軸（図示せず）に伝達している。ＨＳＴ１５の出力軸（図示せず）からの動力を、走行用として、Ｔ／Ｍケース１０の内部に備えたギヤ式変速装置（図示せず）に伝達し、ギヤ式変速装置からの動力を、Ｔ／Ｍケース１０の内部において前輪駆動用と後輪駆動用とに分岐している。
【００１６】
前輪駆動用の動力は、Ｔ／Ｍケース１０の内部から左右の前輪１Ｆにわたる前輪伝動系（図示せず）を介して左右の前輪１Ｆに伝達している。後輪駆動用の動力は、Ｔ／Ｍケース１０の内部から左右の後輪１Ｒにわたる後輪伝動系（図示せず）を介して左右の後輪１Ｒに伝達している。
一方、ＨＳＴ１５の入力軸からの動力を、作業用として、Ｔ／Ｍケース１０の内部に備えた作業伝動系（図示せず）を介して、Ｔ／Ｍケース１０の後端部に備えた後向きの第一動力取出軸１６と、Ｔ／Ｍケース１０の底部に備えた前向きの第二動力取出軸１７とに伝達している。
【００１７】
図示は省略するが、主クラッチ、ＨＳＴ、及び、ギヤ式変速装置などは、搭乗運転部に装備したクラッチペダル、主変速レバー、及び、副変速レバーなどに操作連係している。つまり、クラッチペダル、主変速レバー、及び、副変速レバーなどを操作することにより、エンジン動力の断続、前後進の切り換え、無段変速操作、及び、有段変速操作などを行うことができる。
【００１８】
図１、図２、及び図３に示すように、Ｔ／Ｍケース１０の後部には、その内部に備えたリフトシリンダ（図示せず）の作動によって上下揺動する左右一対のリフトアーム１８、及び、これらのリフトアーム１８の上下揺動に連動して上下方向に昇降揺動する昇降リンク機構１９（昇降操作機構に相当する）、などを備えている。リフトシリンダには単動型の油圧シリンダを採用している。昇降リンク機構１９は、ロータリ耕耘装置やプラウなどの作業装置（図示せず）の着脱を可能にする左右一対の下部リンク２０などを備えて構成している。
【００１９】
つまり、昇降リンク機構１９にロータリ耕耘装置又はプラウなどの作業装置を連結装備することにより、その作業装置を、トラクタの後部に昇降可能に装備することができ、リフトシリンダの作動によって昇降させることができる。そして、その作業装置が、ロータリ耕耘装置などのようにトラクタからの動力によって作動する駆動型である場合には、その作業装置の入力軸（図示せず）を、外部伝動軸（図示せず）などを介して第一動力取出軸１６に連結することにより、第一動力取出軸１６から取り出した作業用の動力を作業装置に伝達して作業装置を作動させることができる。
【００２０】
図示は省略するが、リフトシリンダは、搭乗運転部に備えた昇降レバーの操作に基づいて、リフトシリンダに対するオイルの流れを切り換える切換弁が、油圧ポンプからのオイルをリフトシリンダに供給する供給状態に切り換わると、油圧ポンプからのオイルによって作業装置を上昇させる伸長状態に切り換わる。昇降レバーの操作に基づいて、切換弁が、リフトシリンダ内のオイルを排出する排出状態に切り換わると、作業装置の重量などによって作業装置を下降させる収縮状態に切り換わる。昇降レバーの操作に基づいて、切換弁が、リフトシリンダに対するオイルの給排を停止する給排停止状態に切り換わると、作業装置を昇降停止させる伸縮停止状態に切り換わる。
【００２１】
〔モアー装置〕
図１に示すように、トラクタにおける左右の前輪１Ｆと左右の後輪１Ｒとの間の下腹部（以下、トラクタの下腹部と称する）には、ミッドマウント式の作業装置の一例であるミッドマウントモアー（以下、モアー装置と称する）２１を装備している。
モアー装置２１は、三枚のブレード（図示せず）によって刈り取った草を、各ブレードの回転に伴って発生する搬送風により、モアーデッキ２５における前上部の搬送経路（図示せず）を通して、右端の排出口（図外）から外部に排出するサイドディスチャージ仕様に構成されている。
【００２２】
車体フレーム１とモアー装置２１との間には、モアー装置２１を昇降可能に吊り下げ支持するモアーリンク機構２２（リンク機構に相当する）を介装している。
モアーリンク機構２２は、後下がり傾斜姿勢で車体フレーム１の前部からモアー装置２１の前端部にわたる左右一対の前リンク２３、及び、後下がり傾斜姿勢で車体フレーム１の前後中間部からモアー装置２１の後部にわたる左右一対の後リンク２４、などを備えて、モアー装置２１を所定の刈り取り姿勢で昇降させる平行リンク形式に構成している。左右の後リンク２４は、連係機構４を介して昇降リンク機構１９の左右の下部リンク２０に連係している。
【００２３】
〔連係機構〕
図１、及び図２乃至図４に示すように、連係機構４は、車体フレーム１（機体固定部に相当する）に回動可能に装備した左右向きの回動軸２６の軸心（左右方向の横軸心に相当する）回りで上下揺動可能に構成された中間連結体４０と、その中間連結体４０の前側に連結される第一連結体４１と、中間連結体４０の後側に連結された第二連結体４２と、を備えている。
【００２４】
中間連結体４０は、側面視でベルクランク状に形成され、中間位置の屈曲部分が回動軸２６に固定されている。回動軸２６近くから前側に延出された第一腕部４０Ａの延出端部に、第一連結体４１が連結されている。回動軸２６近くから、第一腕部４０Ａよりも後方側へ延出された第二腕部４０Ｂの延出端部に、第二連結体４２が連結されている。
【００２５】
第一連結体４１の中間連結体４０に連結された側とは反対側の端部が、後リンク２４に連結されている。この第一連結体４１と後リンク２４との連結は、後リンク２４に形成された連結孔２４ａと、第一連結体４１に形成された連結孔４１ａとに連結ボルト（図示せず）を挿通することによって行われる。
したがって、連結ボルトを取り外すことによって、第一連結体４１と後リンク２４との連結が解除される。
【００２６】
第二連結体４２はロッド部材によって構成され、中間連結体４０に連結された側とは反対側の端部が、Ｔ／Ｍケース１０の後部に備えた左右一対の連動アーム２７に接続されている。
左右の連動アーム２７は、対応する下部リンク２０の支軸２８に相対揺動可能に外嵌している。左右の連動アーム２７の上部には、左右の後リンク２４の重量などによって、昇降リンク機構１９の対応する下部リンク２０の上縁に対して上方から片当たりする当接片２７ａが屈曲形成されている。
【００２７】
〔姿勢維持部〕
図２乃至図５に示すように、車体フレーム１外側に左右一対の取付ブラケット３０が設けられている。この取付ブラケット３０が備える支点軸３１に、左右一対の後リンク２４の一端部（前端部）が枢支連結されている。
そして、取付ブラケット３０、及び後リンク２４の一端部には、取付ブラケット３０に対する後リンク２４の相対姿勢をリンク上昇位置で連結固定可能な姿勢維持部３が設けられている。この姿勢維持部３は、支点軸３１の軸心に対する法線方向で、支点軸３１からは離れる別の位置において、取付ブラケット３０と後リンク２４の連結箇所に設けられている。
【００２８】
姿勢維持部３は、取付ブラケット３０に設けた固定側連結部３Ａと、後リンク２４に設けた可動側連結部３Ｂと、を備えている。可動側連結部３Ｂは、後リンク２４に連設された左連結部５０Ｌ、及び右連結部５０Ｒを備えている。左連結部５０Ｌは左側の取付ブラケット３０に対して連結される部位であり、右連結部５０Ｒは右側の取付ブラケット３０に対して連結される部位である。これらの左連結部５０Ｌ、及び右連結部５０Ｒは、後リンク２４の一端部に一体に形成されている。
【００２９】
具体的には、取付ブラケット３０に設けた固定側連結部３Ａは、取付ブラケット３０の横外側板部３２に形成したブラケットピン孔３２ａである。このブラケットピン孔３２ａは、取付ブラケット３０に備えた支点軸３１から下方へ離れた位置に形成されている。
【００３０】
左右の後リンク２４の一端部（前端部）に設けた左連結部５０Ｌ、及び右連結部５０Ｒには、複数個のリンクピン孔５１，５２が形成されている。このリンクピン孔５１，５２は、取付ブラケット３０に備えた支点軸３１から離れた位置に存在する。
つまり、後リンク２４に形成された複数個のリンクピン孔５１，５２のうち、左側の取付ブラケット３０に装着された状態で、支点軸３１から下方へ離れて位置するリンクピン孔５１が左連結部５０Ｌに形成されている。そして、この左側の取付ブラケット３０に装着された状態の後リンク２４の支点軸３１から上方へ離れて位置するリンクピン孔５２が右連結部５０Ｒに形成されている。
【００３１】
したがって、上記の後リンク２４をリンク上昇位置で左側の取付ブラケット３０に連結固定するには、取付ブラケット３０の横外側板部３２に形成されたブラケットピン孔３２ａと、後リンク２４の左連結部５０Ｌに形成されたリンクピン孔５１を合致させた状態とする。この状態で、横側方から連結ピン５３を挿入し、その連結ピン５３の挿入端部に存在する止めピン孔５３ａにベータピン５４を挿す。
これにより、後リンク２４がリンク上昇位置で取付ブラケット３０に連結固定され、連結ピン５３が挿入状態を維持される。ベータピン５４を引き抜いて連結ピン５３をブラケットピン孔３２ａから抜き出せば、後リンク２４は再び支点軸３１周りで自由揺動可能に支持される。
【００３２】
上記の後リンク２４と同一構造の後リンク２４を、右側の取付ブラケット３０に連結するには、後リンク２４の左右を反転させて取付ブラケット３０に連結すればよい。
つまり、後リンク２４の右連結部５０Ｒが支点軸３１よりも下方に位置する状態で取付ブラケット３０に装着することで、ブラケットピン孔３２ａとリンクピン孔５２とにわたって連結ピン５３を挿通させることができる。このとき、後リンク２４の左連結部５０Ｌは、支点軸３１よりも上方に位置する状態となるが、支点軸３１よりも上方の取付ブラケット３０には、ブラケットピン孔３２ａが存在しない。したがって、右側の後リンク２４は、取付ブラケット３０に対して、右連結部５０Ｒでリンク上昇位置に連結固定された状態となる。
【００３３】
取付ブラケット３０は、ブラケットピン孔３２ａが形成される横外側板部３２の他、車体フレーム１に連結固定される最内側板部３３と、横外側板部３２と最内側板部３３の間に位置する中間板部３４と、を備えている。
上記後リンク２４において、支点軸３１が挿通される連結孔２４ａは、後リンク２４の一端部に一体形成されたボス２４ｂの内部に形成されている。
ボス２４ｂの軸線方向の長さは、取付ブラケット３０の横外側板部３２と、中間板部３４と、の離間距離に相当する長さを有している。したがって、横外側板部３２と中間板部３４の間に挟まれた状態に位置するボス２４ｂは、筒軸線方向での移動を制限された状態に装着される。
【００３４】
〔別実施形態の１〕
上記の実施形態では、後リンク２４に備える左連結部５０Ｌ、及び右連結部５０Ｒとして、夫々一つのリンクピン孔５１，５２を備えた構造のものを例示したが、必ずしもこの構造に限定されるものではない。
例えば、左連結部５０Ｌに複数個のリンクピン孔５１を備え、右連結部５０Ｒにも複数個のリンクピン孔５２を備えた構造を採用したものであってもよい。このように構成すれば、複数個のリンクピン孔５１，５２のいずれかを選択することで、リンク上昇位置の高さを変更することも可能である。
その他の構成は、前述した実施形態と同様の構成を採用すればよい。
【００３５】
〔別実施形態の２〕
上記の実施形態では、取付ブラケット３０の横外側板部３２に一つのブラケットピン孔３２ａを設けて固定側連結部３Ａを構成した構造のものを例示したが、必ずしもこの構造に限定されるものではない。
例えば、ブラケットピン孔３２ａを複数個設けて、固定側連結部３Ａが複数箇所に存在するように構成してもよい。この場合にも、リンク上昇位置の高さを変更することも可能である。
その他の構成は、前述した実施形態と同様の構成を採用すればよい。
【産業上の利用可能性】
【００３６】
本発明に係る乗用作業車は、ミッドマウント式の作業装置を着脱可能に備え、かつ、バックホーなどの後部作業装置を連結可能なトラクタや乗用草刈機などの、各種の乗用作業車に適用することができる。
【符号の説明】
【００３７】
１            車体フレーム
３            姿勢維持部
４            連係機構
１９          昇降操作機構
２１          モアー装置
２２          リンク機構
２４          後リンク
３０          取付ブラケット
３１          支点軸
３２ａ        ブラケットピン孔
５０Ｌ        左連結部
５０Ｒ        右連結部
５１，５２    リンクピン孔
５３          連結ピン
【図１】
2020150917.tif 000003
【図２】
2020150917.tif 000004
【図３】
2020150917.tif 000005
【図４】
2020150917.tif 000006
【図５】
2020150917.tif 000007